(57)【要約】【課題】傾斜した屋根に複数枚の太陽電池パネルを容易に設置することができる太陽電池パネル施工方法、太陽電池パネル設置構造、及び、それらを利用した太陽光発電設備を提供する。【解決手段】太陽電池パネル施工方法が、裏面支持金具２１を、複数枚の太陽電池パネル１０を支持可能に、交差方向Ｄ１２に裏面支持金具２１が複数並んだ金具列２５が複数列に配列されるように屋根Ｒ１に固定する金具設置工程と、最も棟側の太陽電池パネル１０に対応する金具列２５を除いた他の金具列２５に、棒状の足場材３１を取外し可能に架け渡す足場設置工程と、複数枚の太陽電池パネル１０を、裏面支持金具２１によって支持されるように棟側から順次に設置する設置作業を、足場材３１を利用しつつも、各設置対象の太陽電池パネル１０に対応する金具列２５に架け渡された足場材３１については外しながら行うパネル設置工程と、を備えた。【選択図】図１２
2019011615.tif 000002
【特許請求の範囲】
【請求項１】
傾斜した屋根に太陽電池パネルを、少なくとも前記屋根の傾斜方向に複数枚配列して設置するための太陽電池パネル施工方法であって、
前記太陽電池パネルの受光面に対する裏面を支持する裏面支持金具を、複数枚の前記太陽電池パネルを支持可能に、前記傾斜方向と交差する交差方向に当該裏面支持金具が複数並んだ金具列が前記傾斜方向に複数列に配列されるように前記屋根に固定する金具設置工程と、
複数列の前記金具列のうち、最も棟側の前記太陽電池パネルに対応する前記金具列を除いた他の前記金具列に、棒状の足場材を取外し可能に架け渡す足場設置工程と、
複数枚の前記太陽電池パネルを、前記裏面支持金具によって支持されるように前記棟側から順次に設置する設置作業を、前記足場材を利用しつつも、各設置対象の前記太陽電池パネルに対応する前記金具列に架け渡された前記足場材については外しながら行うパネル設置工程と、
を備えたことを特徴とする太陽電池パネル施工方法。
【請求項２】
前記裏面支持金具には、支持対象の前記太陽電池パネルから延出するケーブルを保持するためのケーブル保持溝が、当該太陽電池パネルの前記裏面に向かって開口して設けられていることを特徴とする請求項１に記載の太陽電池パネル施工方法。
【請求項３】
前記ケーブル保持溝は、前記裏面支持金具が前記屋根に固定された状態で、前記傾斜方向及び前記交差方向のそれぞれに延びるように交差して２本が設けられていることを特徴とする請求項２に記載の太陽電池パネル施工方法。
【請求項４】
前記パネル設置工程で１枚の前記太陽電池パネルを設置する１枚設置作業が、
１枚の前記太陽電池パネルにおける、前記傾斜方向についての棟側端縁を支持する棟側支持金具を前記屋根に固定する第２の金具設置工程と、
１枚の前記太陽電池パネルの前記棟側端縁を前記棟側支持金具に支持させ、当該棟側端縁を回動中心として前記太陽電池パネルを屋根に向かって倒して、前記裏面を前記裏面支持金具に支持させるとともに、前記太陽電池パネルにおける軒側端縁を軒側支持金具に支持させる取付け工程と、
を備える作業であることを特徴とする請求項１〜３のうち何れか一項に記載の太陽電池パネル施工方法。
【請求項５】
前記軒側支持金具は、前記屋根に固定されるとともに前記軒側端縁が当接する当接壁が設けられた本体部と、当該本体部との間に前記太陽電池パネルを挟んで当該本体部に着脱可能に固定される着脱部と、を備えていることを特徴とする請求項４に記載の太陽電池パネル施工方法。
【請求項６】
前記棟側支持金具には、前記取付け工程において前記棟側端縁が支持のために差し込まれるとともに、前記太陽電池パネルの厚みよりも幅広の差込み溝と、当該差込み溝における開口の軒側近傍に設けられて当該差込み溝に前記棟側端縁が差し込まれた前記太陽電池パネルの前記裏面に当接する当接突起と、が設けられていることを特徴とする請求項４又は５に記載の太陽電池パネル施工方法。
【請求項７】
傾斜した屋根に太陽電池パネルを、少なくとも前記屋根の傾斜方向に複数枚配列して設置するための太陽電池パネル設置構造であって、
前記太陽電池パネルの受光面に対する裏面を支持する裏面支持金具を備え、
前記裏面支持金具は、複数枚の前記太陽電池パネルを支持可能に、前記傾斜方向と交差する交差方向に当該裏面支持金具が複数並んだ金具列が前記傾斜方向に複数列に配列されるように前記屋根に固定され、
複数列の前記金具列は、複数枚の前記太陽電池パネルの設置に当たって、棒状の足場材が取り外し可能に架け渡される足場設置位置として利用されることを特徴とする太陽電池パネル設置構造。
【請求項８】
傾斜した屋根に太陽電池パネルが、少なくとも前記屋根の傾斜方向に複数枚配列して設置された太陽光発電設備であって、
複数枚の前記太陽電池パネルを前記屋根に設置するための太陽電池パネル設置構造を備え、
当該太陽電池パネル設置構造が、
前記太陽電池パネルの受光面に対する裏面を支持する裏面支持金具を備え、
前記裏面支持金具は、複数枚の前記太陽電池パネルを支持可能に、前記傾斜方向と交差する交差方向に当該裏面支持金具が複数並んだ金具列が前記傾斜方向に複数列に配列されるように前記屋根に固定され、
複数列の前記金具列は、複数枚の前記太陽電池パネルの設置に当たって、棒状の足場材が取り外し可能に架け渡される足場設置位置として利用されることを特徴とする太陽光発電設備。
【発明の詳細な説明】
【技術分野】
【０００１】
本発明は、傾斜した屋根に太陽電池パネルを複数枚配列して設置するための太陽電池パネル施工方法、太陽電池パネル設置構造、及び、それらを利用した太陽光発電設備に関する。
【背景技術】
【０００２】
地球環境問題に対する関心の高まりを受けて、温室効果ガスの削減等に効果が期待される太陽光発電が注目されている。近年では、このような太陽光発電が一般家庭にも普及しつつあり、家屋の屋根に太陽電池パネルが設置されるようになってきている（例えば、特許文献１参照。）。特許文献１に記載の技術では、傾斜した屋根に複数枚の太陽電池パネルが設置される。このとき、傾斜した屋根で太陽電池パネルの設置作業を行うために梯子状の専用足場が利用されている。
【先行技術文献】
【特許文献】
【０００３】
【特許文献１】特開平１１−０６２１４２号公報
【発明の概要】
【発明が解決しようとする課題】
【０００４】
ここで、上記のような専用足場を利用した太陽電池パネルの設置作業は、その専用足場を設置する作業自体が大掛かりであって作業者の負担となりがちである。
【０００５】
従って、本発明は、上記のような課題に着目し、傾斜した屋根に複数枚の太陽電池パネルを容易に設置することができる太陽電池パネル施工方法、太陽電池パネル設置構造、及び、それらを利用した太陽光発電設備を提供することを目的とする。
【課題を解決するための手段】
【０００６】
上記課題を解決するために、本発明の太陽電池パネル施工方法は、傾斜した屋根に太陽電池パネルを、少なくとも前記屋根の傾斜方向に複数枚配列して設置するための太陽電池パネル施工方法であって、前記太陽電池パネルの受光面に対する裏面を支持する裏面支持金具を、複数枚の前記太陽電池パネルを支持可能に、前記傾斜方向と交差する交差方向に当該裏面支持金具が複数並んだ金具列が前記傾斜方向に複数列に配列されるように前記屋根に固定する金具設置工程と、複数列の前記金具列のうち、最も棟側の前記太陽電池パネルに対応する前記金具列を除いた他の前記金具列に、棒状の足場材を取外し可能に架け渡す足場設置工程と、複数枚の前記太陽電池パネルを、前記裏面支持金具によって支持されるように前記棟側から順次に設置する設置作業を、前記足場材を利用しつつも、各設置対象の前記太陽電池パネルに対応する前記金具列に架け渡された前記足場材については外しながら行うパネル設置工程と、を備えたことを特徴とする。
【０００７】
ここで、本発明の太陽電池パネル施工方法において、前記裏面支持金具には、支持対象の前記太陽電池パネルから延出するケーブルを保持するためのケーブル保持溝が、当該太陽電池パネルの前記裏面に向かって開口して設けられていることが好適である。
【０００８】
また、この好適な太陽電池パネル施工方法において、前記ケーブル保持溝は、前記裏面支持金具が前記屋根に固定された状態で、前記傾斜方向及び前記交差方向のそれぞれに延びるように交差して２本が設けられていることが一層好適である。
【０００９】
また、本発明の太陽電池パネル施工方法において、前記パネル設置工程で１枚の前記太陽電池パネルを設置する１枚設置作業が、１枚の前記太陽電池パネルにおける、前記傾斜方向についての棟側端縁を支持する棟側支持金具を前記屋根に固定する第２の金具設置工程と、１枚の前記太陽電池パネルの前記棟側端縁を前記棟側支持金具に支持させ、当該棟側端縁を回動中心として前記太陽電池パネルを屋根に向かって倒して、前記裏面を前記裏面支持金具に支持させるとともに、前記太陽電池パネルにおける軒側端縁を軒側支持金具に支持させる取付け工程と、を備える作業であることも好適である。
【００１０】
また、軒側支持金具と棟側支持金具とを用いる上記の好適な太陽電池パネル施工方法において、前記軒側支持金具は、前記屋根に固定されるとともに前記軒側端縁が当接する当接壁が設けられた本体部と、当該本体部との間に前記太陽電池パネルを挟んで当該本体部に着脱可能に固定される着脱部と、を備えていることも一層好適である。
【００１１】
また、この好適な太陽電池パネル施工方法において、前記棟側支持金具には、前記取付け工程において前記棟側端縁が支持のために差し込まれるとともに、前記太陽電池パネルの厚みよりも幅広の差込み溝と、当該差込み溝における開口の軒側近傍に設けられて当該差込み溝に前記棟側端縁が差し込まれた前記太陽電池パネルの前記裏面に当接する当接突起と、が設けられていることが更に好適である。
【００１２】
また、上記課題を解決するために、本発明の太陽電池パネル設置構造は、傾斜した屋根に太陽電池パネルを、少なくとも前記屋根の傾斜方向に複数枚配列して設置するための太陽電池パネル設置構造であって、前記太陽電池パネルの受光面に対する裏面を支持する裏面支持金具を備え、前記裏面支持金具は、複数枚の前記太陽電池パネルを支持可能に、前記傾斜方向と交差する交差方向に当該裏面支持金具が複数並んだ金具列が前記傾斜方向に複数列に配列されるように前記屋根に固定され、複数列の前記金具列は、複数枚の前記太陽電池パネルの設置に当たって、棒状の足場材が取り外し可能に架け渡される足場設置位置として利用されることを特徴とする。
【００１３】
また、上記課題を解決するために、本発明の太陽光発電設備は、傾斜した屋根に太陽電池パネルが、少なくとも前記屋根の傾斜方向に複数枚配列して設置された太陽光発電設備であって、複数枚の前記太陽電池パネルを前記屋根に設置するための太陽電池パネル設置構造を備え、当該太陽電池パネル設置構造が、前記太陽電池パネルの受光面に対する裏面を支持する裏面支持金具を備え、前記裏面支持金具は、複数枚の前記太陽電池パネルを支持可能に、前記傾斜方向と交差する交差方向に当該裏面支持金具が複数並んだ金具列が前記傾斜方向に複数列に配列されるように前記屋根に固定され、複数列の前記金具列は、複数枚の前記太陽電池パネルの設置に当たって、棒状の足場材が取り外し可能に架け渡される足場設置位置として利用されることを特徴とする。
【００１４】
尚、ここでは、本発明の太陽電池パネル設置構造及び太陽光発電設備については基本形態のみ記載した。しかしながら、本発明の太陽電池パネル設置構造及び本発明の太陽光発電設備に対し、上述した本発明の太陽電池パネル施工方法に対する種々の好適な形態が適用可能であることは言うまでもない。
【発明の効果】
【００１５】
本発明の太陽電池パネル施工方法、太陽電池パネル設置構造、及び太陽光発電設備では、太陽電池パネルの裏面を支持する裏面支持金具が上記の交差方向に複数並んだ金具列が、棒状の足場材の足場設置位置として利用される。このため、足場材の設置のための専用治具の設置等が不要である。そして、その足場材の設置は、金具列に架け渡すだけで済む。太陽電池パネルの設置は、足場としての役割を終えた足場材を外しながら棟側から太陽電池パネルを葺き下ろすようにして行われる。このとき足場材は金具列に架け渡されているだけなので容易に取り外すことができる。このように、本発明の太陽電池パネル施工方法、太陽電池パネル設置構造、及び太陽光発電設備によれば、足場材の設置と取外しとが双方とも容易に行われるので、傾斜した屋根に複数枚の太陽電池パネルを容易に設置することができる。
【図面の簡単な説明】
【００１６】
【図１】本発明の一実施形態にかかる太陽光発電設備を示す図である。
【図２】図１に示されている太陽光発電設備における太陽電池パネル設置構造を示す側面図である。
【図３】図１及び図２に示されている端縁支持金具を、太陽電池パネルとの間に介在するゴムシートを除いて示す三面図である。
【図４】図３に示されている金具本体の三面図である。
【図５】図３に示されている軒側着脱部の三面図である。
【図６】図１及び図２に示されている裏面支持金具を、太陽電池パネルとの間に介在するゴムシートを除いて示す三面図である。
【図７】図１に示されている太陽光発電設備において裏面支持金具に設けられた第１ケーブル保持溝及び第２ケーブル保持溝を利用して太陽電池パネルから延出するケーブルが保持される様子を示す模式図である。
【図８】図７に示されている領域Ａ１１の拡大図である。
【図９】図７に示されている領域Ａ１２の拡大図である。
【図１０】本実施形態の太陽電池パネル施工方法における金具設置工程及び足場設置工程を示す斜視図である。
【図１１】本実施形態の太陽電池パネル施工方法における金具設置工程及び足場設置工程を示す側面図である。
【図１２】パネル設置工程において太陽電池パネルを取付ける取付け工程を示す斜視図である。
【図１３】パネル設置工程において太陽電池パネルを取付ける取付け工程を示す側面図である。
【図１４】図１に示されている太陽電池パネルのアレイ構造とは異なるアレイ構造を有する第１の別例の太陽光発電設備を示す図である。
【図１５】図１に示されている太陽電池パネルのアレイ構造とは異なるアレイ構造を有する第２の別例の太陽光発電設備を示す図である。
【発明を実施するための形態】
【００１７】
本発明の太陽電池パネル設置方法、太陽電池パネル設置構造、及び太陽光発電設備の一実施形態について、以下、図面を参照して説明する。
【００１８】
図１は、本発明の一実施形態にかかる太陽光発電設備を示す図であり、図２は、図１に示されている太陽光発電設備における太陽電池パネル設置構造を示す側面図である。
【００１９】
本実施形態の太陽光発電設備１は、太陽電池パネル１０が、傾斜した屋根Ｒ１の傾斜方向Ｄ１１と、その傾斜方向Ｄ１１と直交する交差方向Ｄ１２と、の双方に並ぶように１６枚が４×４の二次元配列で屋根Ｒ１に設置されたアレイ構造の設備である。各太陽電池パネル１０は長方形板となっている。これら１６枚の太陽電池パネル１０を屋根Ｒ１に設置するための太陽電池パネル設置構造２０は、裏面支持金具２１と、端縁支持金具２２と、を備えている。
【００２０】
裏面支持金具２１は、屋根Ｒ１に固定されて太陽電池パネル１０の受光面に対する裏面を支持する金具である。本実施形態では、裏面支持金具２１は、屋根に対する平面視で、太陽電池パネル１０の裏面における、傾斜方向Ｄ１１に沿って延在する側端縁の近傍位置と、太陽電池パネル１０の外周縁から離れた内部位置と、を支持するように屋根Ｒ１に複数が固定される。また、交差方向Ｄ１２に互いに隣り合う２枚の太陽電池パネル１０の境界では、１つの裏面支持金具２１が、各太陽電池パネル１０の裏面における側端縁の近傍位置を支持する。本実施形態では、１枚の太陽電池パネル１０の裏面が、３つの裏面支持金具２１で支持される。また、図２に拡大して示されているように、裏面支持金具２１は、ゴムシート２３を介して屋根Ｒ１の野地板Ｒ１１にネジ２４で固定される。そして、裏面支持金具２１は、ゴムシート２３を介して太陽電池パネル１０の裏面を支持する。
【００２１】
端縁支持金具２２は、屋根Ｒ１に固定されて太陽電池パネル１０における軒側端縁１１及び棟側端縁１２を支持する金具である。端縁支持金具２２は、軒側端縁１１及び棟側端縁１２のそれぞれに２つずつ設けられている。ここで、本実施形態では、この端縁支持金具２２が図２に拡大図で示されている構成となっている。即ち、端縁支持金具２２は、傾斜方向Ｄ１１に隣り合う２枚の太陽電池パネル１０の一方における軒側端縁１１を支持する軒側支持部２２１と、他方における棟側端縁１２を支持する棟側支持部２２２と、が一体部品として形成されたものとなっている。軒側支持部２２１は、棟側支持部２２２の上方に配置され、軒側支持部２２１と棟側支持部２２２とが側面視で略Ｓ字状をなしている。端縁支持金具２２は、裏面支持金具２１と同様に、ゴムシート２３を介して屋根Ｒ１の野地板Ｒ１１にネジ２４で固定される。
【００２２】
端縁支持金具２２における軒側支持部２２１は、下方の棟側支持部２２２に連続して繋がってこの棟側支持部２２２とともに屋根Ｒ１に固定される側面視でＬ字状の軒側本体部２２１ａと、同じく側面視でＬ字状の軒側着脱部２２１ｂを備えている。軒側着脱部２２１ｂは、軒側本体部２２１ａとの間に、太陽電池パネル１０の軒側端縁１１を、ゴムシート２３を介して挟んで、ネジ２２１ｃによって着脱可能に軒側本体部２２１ａ固定される。
【００２３】
他方、端縁支持金具２２における棟側支持部２２２には、太陽電池パネル１０の軒側端縁１１が差し込まれる差込み溝２２２ａが設けられており、棟側端縁１２は、この差込み溝２２２ａの内側に貼付されたゴムシート２３を介して支持される。
【００２４】
図３は、図１及び図２に示されている端縁支持金具を、太陽電池パネルとの間に介在するゴムシートを除いて示す三面図である。この図３には、端縁支持金具２２を軒側から見た正面図（図中右上側の図）、太陽電池パネル１０の側から見た上面図（図中右下側の図）、及び側面図（図中左側の図）が示されている。
【００２５】
端縁支持金具２２は、軒側支持部２２１における軒側本体部２２１ａと、棟側支持部２２２と、を一部として有する板金部材である金具本体２２ａと、ネジ２２１ｃによって着脱可能に軒側本体部２２１ａに固定される軒側着脱部２２１ｂと、を備えている。
【００２６】
図４は、図３に示されている金具本体の三面図であり、図５は、図３に示されている軒側着脱部の三面図である。図４には、図３における端縁支持金具２２の正面図、上面図、及び側面図に対応した、金具本体２２ａの正面図、上面図、及び側面図が示されている。同様に、図５には、図３における端縁支持金具２２の正面図、上面図、及び側面図に対応した、軒側着脱部２２１ｂの正面図、上面図、及び側面図が示されている。
【００２７】
金具本体２２ａは、正面視で屋根Ｒ１（図１及び図２）に向かって開いたＣ字状に形成された基台部２２３を備えている。基台部２２３は、一対の側壁２２３ａと、これらの側壁２２３ａの相互間を繋ぐ上壁２２３ｂと、各側壁２２３ａから屋根Ｒ１に沿うように延出した固定フランジ２２３ｃと、を備えている。各固定フランジ２２３ｃには、図２に示されているネジ２４が通る貫通孔２２３ｄが設けられており、この貫通孔２２３ｄに挿通されたネジ２４によって、ゴムシート２３を介して屋根Ｒ１に固定される。また、一対の側壁２２３ａにおいて、端縁支持金具２２が屋根Ｒ１に固定されたときに棟側となる端縁には補強フランジ２２３ｅが設けられている。
【００２８】
そして、基台部２２３の上壁２２３ｂにおいて棟側となる端縁からは、棟側支持部２２２の差込み溝２２２ａにおける奥壁２２２ｂが立ち上がっている。そして、奥壁２２２ｂの上端縁からは、差込み溝２２２ａにおける天井壁をなすとともに、軒側支持部２２１の軒側本体部２２１ａにおいて、軒側着脱部２２１ｂとの間に太陽電池パネル１０の軒側端縁１１を挟む底壁をなす境界壁２２４が軒側へと延出している。この境界壁２２４における軒側の端縁からは、軒側本体部２２１ａにおいて太陽電池パネル１０の軒側端縁１１がゴムシート２３を介して当接する当接壁２２１ａ−１が立ち上がっている。この当接壁２２１ａ−１には、軒側着脱部２２１ｂを固定するネジ２２１ｃが通る貫通孔２２１ａ−２が２箇所に設けられている。
【００２９】
ここで、本実施形態では、棟側支持部２２２の差込み溝２２２ａは、図２に示されているように、太陽電池パネルの厚みよりも幅広に形成されている。また、基台部２２３の上壁２２３ｂにおける、差込み溝２２２ａの開口の軒側近傍には、次のような当接突起２２５が設けられている。この当接突起２２５は、図２に示されているように、差込み溝２２２ａに棟側端縁１２が差し込まれた太陽電池パネル１０の裏面にゴムシート２３を介して当接する。
【００３０】
当接壁２２１ａ−１にネジ２２１ｃで固定される軒側着脱部２２１ｂは、図５に示されているように、側面視でＬ字状を有する板金部材である。軒側着脱部２２１ｂは、当接壁２２１ａ−１に重ねられてネジ２２１ｃで固定される固定壁２２１ｂ−１と、この固定壁２２１ｂ−１の上端縁から棟側に延出して境界壁２２４との間に太陽電池パネル１０の軒側端縁１１を挟む天井壁２２１ｂ−２と、を備えている。固定壁２２１ｂ−１には、当接壁２２１ａ−１の貫通孔２２１ａ−２と重なるように、２つの貫通孔２２１ｂ−３が設けられている。
【００３１】
図６は、図１及び図２に示されている裏面支持金具を、太陽電池パネルとの間に介在するゴムシートを除いて示す三面図である。この図６には、裏面支持金具２１を軒側から見た正面図（図中左下側の図）、太陽電池パネル１０の側から見た上面図（図中左上側の図）、及び側面図（図中右側の図）が示されている。
【００３２】
裏面支持金具２１は、正面視で太陽電池パネル１０（図１及び図２）に向かって開いたＣ字状に形成された板金部材である。裏面支持金具２１は、一対の側壁２１１と、これらの側壁２１１の相互間を繋ぐ底壁２１２と、各側壁２１１から太陽電池パネル１０の裏面に沿うように延出した支持フランジ２１３と、を備えている。底壁２１２には、図２に示されているネジ２４が通る貫通孔２１４が設けられており、この貫通孔２１４に挿通されたネジ２４によって、ゴムシート２３を介して屋根Ｒ１に固定される。また、一対の側壁２１１において、裏面支持金具２１が屋根Ｒ１に固定されたときに軒側となる端縁には補強フランジ２１５が設けられている。屋根Ｒ１に固定された裏面支持金具２１における一対の支持フランジ２１３が、ゴムシート２３を介して太陽電池パネル１０の裏面を支持する。
【００３３】
ここで、裏面支持金具２１では、一対の側壁２１１と底壁２１２とが、太陽電池パネル１０の裏面に向かって開口した、屋根Ｒ１の傾斜方向Ｄ１１に延在する溝を構成している。本実施形態では、この溝が、太陽電池パネル１０から延出するケーブルを、傾斜方向Ｄ１１に沿わせて保持する第１ケーブル保持溝２１６となっている。また、一対の側壁２１１それぞれには、上端縁から底壁２１２に向かって切れ込み２１１ａが設けられている。各切れ込み２１１ａの縁は、第１ケーブル保持溝２１６と交差する突出リブ２１１ａ−１で縁取られている。これら一対の切れ込み２１１ａにより、切れ込み２１１ａの相互間を繋いで、第１ケーブル保持溝２１６と交差するように上記の交差方向Ｄ１２に延出する第２ケーブル保持溝２１７が形成されている。この第２ケーブル保持溝２１７は、この交差方向Ｄ１２にケーブルを沿わせて保持する。このように、本実施形態では、裏面支持金具２１に、屋根Ｒ１に固定された状態で、傾斜方向Ｄ１１及び交差方向Ｄ１２のそれぞれに延びるように交差して２本のケーブル保持溝が設けられている。
【００３４】
図７は、図１に示されている太陽光発電設備において裏面支持金具に設けられた第１ケーブル保持溝及び第２ケーブル保持溝を利用して太陽電池パネルから延出するケーブルが保持される様子を示す模式図である。この図７は、太陽電池パネル１０の裏面側を通るケーブル１３や、裏面側に配置される裏面支持金具２１が見えるように透視図となっている。
【００３５】
まず、図１を参照して説明したように、本実施形態では、裏面支持金具２１が、屋根に対する平面視で、太陽電池パネル１０の裏面における側端縁の近傍位置と内部位置と、を支持するように屋根Ｒ１に複数が固定される。また、交差方向Ｄ１２に互いに隣り合う２枚の太陽電池パネル１０の境界では、１つの裏面支持金具２１が、各太陽電池パネル１０の裏面における側端縁の近傍位置を支持する。このように配置された裏面支持金具２１の第１ケーブル保持溝２１６及び第２ケーブル保持溝２１７を利用して太陽電池パネル１０から延出するケーブル１３が保持される。
【００３６】
図８は、図７に示されている領域Ａ１１の拡大図であり、図９は、図７に示されている領域Ａ１２の拡大図である。
【００３７】
図８には、側端縁の近傍位置に配置された裏面支持金具２１と、内部位置に配置された裏面支持金具２１とが示されている。この図８の例では、図中左端を３本のケーブル１３の束が傾斜方向Ｄ１１に通っており、裏面支持金具２１の図中上方でケーブル１３の束が２本のケーブル１３の束と１本のケーブル１３とに分岐している。２本のケーブル１３の束が、側端縁の近傍位置に配置された裏面支持金具２１の第１ケーブル保持溝２１６の内部に配置されて傾斜方向Ｄ１１に沿わされて保持されている。一方、分岐した１本のケーブル１３は、交差方向Ｄ１２に延出し、途中で中継コネクタ１４により他の１本のケーブル１３に接続されている。その後、その１本のケーブル１３が、内部位置に配置された裏面支持金具２１の第２ケーブル保持溝２１７の内部に配置されて交差方向Ｄ１２に沿わされて保持されている。
【００３８】
図９には、内部位置に配置された裏面支持金具２１が示されている。この図９の例では、中継コネクタ１４を介して内部位置に集まってきた複数本のケーブル１３のうち、傾斜方向Ｄ１１に通る２本のケーブル１３の束が、裏面支持金具２１の第１ケーブル保持溝２１６の内部に配置されて傾斜方向Ｄ１１に沿わされて保持されている。他方、この２本のケーブル１３の束と交差するように交差方向Ｄ１２に通る１本のケーブル１３が、第２ケーブル保持溝２１７の内部に配置されて交差方向Ｄ１２に沿わされて保持されている。２本のケーブル１３の束と１本のケーブル１３とは、この裏面支持金具２１において交差して配索されている。
【００３９】
図７に示されている太陽光発電設備１では、ケーブル１３を上述したように保持させながら屋根Ｒ１上で傾斜方向Ｄ１１と交差方向Ｄ１２に配索して１６枚の太陽電池パネル１０を電気的に接続して総合出力電力を取り出すように構成している。
【００４０】
次に、上述した本実施形態の太陽電池パネル設置構造２０を利用して、太陽電池パネル１０を傾斜した屋根Ｒ１に設置して太陽光発電設備１を構成するための太陽電池パネル施工方法について説明する。
【００４１】
本実施形態の太陽電池パネル施工方法は、金具設置工程と、足場設置工程と、パネル設置工程と、を備えている。
【００４２】
図１０は、本実施形態の太陽電池パネル施工方法における金具設置工程及び足場設置工程を示す斜視図である。また、図１１は、本実施形態の太陽電池パネル施工方法における金具設置工程及び足場設置工程を示す側面図である。
【００４３】
まず、金具設置工程では、１６枚の太陽電池パネル１０を支持可能に、交差方向Ｄ１２に裏面支持金具２１が９個並んだ金具列２５が傾斜方向Ｄ１１に４列に配列されるように、合計で３６個の裏面支持金具２１が屋根Ｒ１に固定される。このとき、各裏面支持金具２１は、図２に示されているようにゴムシート２３を介して屋根Ｒ１の野地板Ｒ１１にネジ２４で固定される。
【００４４】
金具設置工程に続く足場設置工程では、４列の金具列２５のうち、最も棟側の太陽電池パネル１０に対応する１列の金具列２５を除いた他の３列の金具列２５に、角棒状の足場材３１が取外し可能に架け渡される。本実施形態では、足場材３１は軒側から順次に架け渡されるが、既に架け渡された足場材３１が、その足場材３１よりも棟側の足場材３１を架け渡す際の足場として利用される。
【００４５】
足場設置工程が終了すると、１６枚の太陽電池パネル１０を設置するパネル設置工程が行われる。パネル設置工程では、裏面支持金具２１によって支持されるように棟側から順次に太陽電池パネル１０を設置する設置作業が、足場材３１を利用しつつ行われる。ただし、各設置対象の太陽電池パネル１０に対応する金具列２５に架け渡された足場材３１については外しながら設置作業が行われる。足場設置工程が終了した後に最初に設置対象となる太陽電池パネル１０は、最も棟側の４枚の太陽電池パネル１０なので、上記の足場設置工程では、そもそも最も棟側の１列の金具列２５については足場材３１の足場設置位置から除外されている。
【００４６】
ここで、本実施形態では、上記のパネル設置工程で１枚の太陽電池パネル１０を設置する１枚設置作業が、次のような第２の金具設置工程と、取付け工程と、を備える作業となっている。
【００４７】
第２の金具設置工程は、１枚の太陽電池パネル１０における、傾斜方向Ｄ１１についての棟側端縁１２を支持する端縁支持金具２２を屋根Ｒ１に固定する工程である。図１０及び図１１では、最も棟側の４枚分の太陽電池パネル１０の設置のために、第２の金具設置工程が行われた様子が示されている。
【００４８】
第２の金具設置工程に続く取付け工程では、太陽電池パネル１０が以下に説明するように取り付けられる。
【００４９】
図１２は、パネル設置工程において太陽電池パネルを取付ける取付け工程を示す斜視図である。また、図１３は、パネル設置工程において太陽電池パネルを取付ける取付け工程を示す側面図である。図１２及び図１３には、棟側から数えて２列目の太陽電池パネル１０を例に挙げて、太陽電池パネル１０の取付け工程が示されている。このため、図１２及び図１３の例では、２列目の太陽電池パネル１０に対応する金具列２５に架け渡された足場材３１については外された状態となっている。
【００５０】
太陽電池パネル１０の取付け工程では、まず、太陽電池パネル１０の棟側端縁１２が、端縁支持金具２２における棟側支持部２２２の、ゴムシート２３付きの差込み溝２２２ａに差し込まれて支持される。その後、この棟側端縁１２を回動中心として太陽電池パネル１０が屋根Ｒ１に向かって矢印Ｄ１３方向に倒される。そして、太陽電池パネル１０が屋根Ｒ１と略平行になるまで倒された時点で軒側端縁１１に端縁支持金具２２が取り付けられ、そのまま屋根Ｒ１に太陽電池パネル１０が降ろされる。端縁支持金具２２の取付けでは、軒側支持部２２１の内側にゴムシート２３が貼付された状態で、この内側へと太陽電池パネル１０の軒側端縁１１が挿入されるように矢印Ｄ１４方向（図１２）に端縁支持金具２２が取り付けられる。
【００５１】
ここで、屋根Ｒ１には、軒側の端縁支持金具２２の取付け位置を示す不図示の基準線が予め引かれている。上記のように屋根Ｒ１に太陽電池パネル１０が降ろされると、続いて、その基準線に端縁支持金具２２を合せるように太陽電池パネル１０が矢印Ｄ１５方向（図１３）に押し込まれる。そして、その状態を維持したまま、軒側の端縁支持金具２２がネジ２４で屋根Ｒ１に固定される。この取付け工程では、以上の手順を経て、太陽電池パネル１０は、その裏面が裏面支持金具２１に支持されるとともに、その軒側端縁１１が端縁支持金具２２に支持された状態となる。本実施形態では、軒側の端縁支持金具２２の屋根Ｒ１への固定を以て太陽電池パネル１０の取付け工程が終了する。
【００５２】
ここで、上述したように差込み溝２２２ａは、太陽電池パネル１０の厚みよりも幅広に形成されているので、差し込まれた棟側端縁１２が回動や押込みに際して差込み溝２２２ａの中である程度自由に動けるようになっている。また、差込み溝２２２ａの開口の軒側近傍に位置する当接突起２２５は、回動や押込みの際にも太陽電池パネル１０の裏面に当接して支える役割を果たす。
【００５３】
更に、太陽電池パネル１０の取付け工程の際に、裏面支持金具２１における第１ケーブル保持溝２１６及び第２ケーブル保持溝２１７を利用して、図７〜図８を参照して説明したようなケーブル１３の配索も行われる。
【００５４】
以上に説明した第２の金具設置工程及び取付け工程が足場材３１の外された列の４枚の太陽電池パネル１０について行なわれると、次の軒側の足場材３１が外されて、その列の４枚の太陽電池パネル１０について第２の金具設置工程及び取付け工程が繰り返される。そして、全ての列に対するこれらの作業の終了を以て本実施形態の太陽電池パネル施工方法が終了し、図１及び図２に示されている太陽電池パネル設置構造２０を備える太陽光発電設備１が完成する。
【００５５】
以上に説明した本実施形態の太陽電池パネル施工方法、太陽電池パネル設置構造２０、及び太陽光発電設備１では、太陽電池パネル１０の裏面を支持する裏面支持金具２１が交差方向Ｄ１２に並んだ金具列２５が、棒状の足場材３１の足場設置位置として利用される。このため、足場材３１の設置のための専用治具の設置等が不要である。そして、その足場材３１の設置は、金具列２５に架け渡すだけで済む。太陽電池パネル１０の設置は、足場としての役割を終えた足場材３１を外しながら棟側から太陽電池パネル１０を葺き下ろすようにして行われる。このとき足場材３１は金具列２５に架け渡されているだけなので容易に取り外すことができる。このように、本実施形態によれば、足場材３１の設置と取外しとが双方とも容易に行われるので、傾斜した屋根Ｒ１に１６枚の太陽電池パネル１０を容易に設置することができる。
【００５６】
また本実施形態によれば、裏面支持金具２１に設けられた第１ケーブル保持溝２１６及び第２ケーブル保持溝２１７でケーブル１３を保持させながら太陽電池パネル１０を設置することができる。また、これらの第１ケーブル保持溝２１６及び第２ケーブル保持溝２１７が太陽電池パネル１０の裏面に向かって開口して設けられているので、第１ケーブル保持溝２１６及び第２ケーブル保持溝２１７にケーブル１３を保持させる作業自体も容易なものとなる。つまり、本実施形態によれば、ケーブル１３の配索も含めて太陽電池パネル１０を容易に設置することができる。更に、傾斜方向Ｄ１１と交差方向Ｄ１２との２方向について第１ケーブル保持溝２１６及び第２ケーブル保持溝２１７にケーブル１３を保持させることができる。このため、ケーブル１３の配索の自由度が高く、太陽電池パネル１０を一層容易に設置することができる。
【００５７】
また、本実施形態によれば、一枚の太陽電池パネル１０について傾斜方向Ｄ１１に沿って延在する側端縁の近傍位置と内部位置とに、足場材３１を支える裏面支持金具２１が確保されるので、足場材３１を安定的に支えることができる。
【００５８】
また、本実施形態では、裏面支持金具２１や端部支持金具２２は、屋根Ｒ１の野地板Ｒ１１に固定される。これにより、裏面支持金具２１や端部支持金具２２の設置位置についての自由度が高いので、太陽電池パネル１０を一層容易に設置することができる。
【００５９】
また、本実施形態では、１枚の太陽電池パネル１０を設置する１枚設置作業が、端部支持金具２２の棟側支持部２２２に支持させた棟側端縁１２を回動中心として太陽電池パネル１０を倒すという作業性が良好で簡単な作業となっている。これにより、太陽電池パネル１０を一層容易に設置することができる。
【００６０】
また、本実施形態では、傾斜方向Ｄ１１に隣り合う２枚の太陽電池パネル１０の一方における軒側端縁１１を支持する軒側支持部２２１と、他方における棟側端縁１２を支持する棟側支持部２２２と、が一体部品として端部支持金具２２が形成されている。これにより、部品点数が抑えられており、施工コストを低減させることができる。
【００６１】
また、本実施形態によれば、太陽電池パネル１０を一旦設置した後でも、軒側支持部２２１において軒側着脱部２２１ｂを軒側本体部２２１ａから外すことで、太陽電池パネル１０を設置時とは逆方向に起こして容易に取り外すことができる。これにより、施行中に、設置済みの太陽電池パネル１０の位置調整等を容易に行なうことができる。また、上記のような太陽電池パネル１０の取外しは、１６枚の太陽電池パネル１０の全てが施工された後でも同様に行なうことができるので、施工後のメンテナンス作業等も容易に行なうことができる。
【００６２】
また、本実施形態によれば、太陽電池パネル１０の棟側端縁１２を支持させるための差込み溝２２２ａが幅広であることから、その棟側端縁１２を回動中心として太陽電池パネル１０を倒す作業を良好な作業性の下で行うことができる。また、差込み溝２２２ａの開口の軒側近傍に設けられた当接突起２２５が、太陽電池パネル１０の裏面に当接するように構成されていることから、幅広の差込み溝２２２ａに差し込まれた棟側端縁１２についてガタつきを抑えて支持させることができる。
【００６３】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の太陽電池パネル施工方法、太陽電池パネル設置構造、及び太陽光発電設備の構成を具備する限り、勿論、本発明の範疇に含まれるものである。
【００６４】
例えば、上述した実施形態では、本発明にいう太陽光発電設備の一例として、図１に示されているように１６枚の太陽電池パネル１０が矩形状に配列されたアレイ構造を有する太陽光発電設備１が例示されている。そして、本発明にいう太陽電池パネル施工方法や太陽電池パネル設置構造の各一例としても、このようなアレイ構造の太陽光発電設備１を設置するための太陽電池パネル設置構造２０や太陽電池パネル施工方法が例示されている。しかしながら、本発明にいう太陽電池パネル施工方法、太陽電池パネル設置構造、及び太陽光発電設備はこれらに限るものではない。本発明にいう太陽電池パネル施工方法、太陽電池パネル設置構造、及び太陽光発電設備は、太陽電池パネルを少なくとも屋根の傾斜方向に複数枚配列して設置するものであればよい。そして、太陽電池パネルの枚数や配列形態は、図１に示されている枚数や配列形態に限るものではなく、次のような別例の形態であってもよい。
【００６５】
図１４は、図１に示されている太陽電池パネルのアレイ構造とは異なるアレイ構造を有する第１の別例の太陽光発電設備を示す図である。また、図１５は、図１に示されている太陽電池パネルのアレイ構造とは異なるアレイ構造を有する第２の別例の太陽光発電設備を示す図である。
【００６６】
図１４に示されている第１の別例の太陽光発電設備５は、図１に示されている屋根Ｒ１よりも屋根面が広い矩形状の屋根Ｒ５に、図１に示されているものと同じ太陽電池パネル１０を４８枚設置した設備である。４８枚の太陽電池パネル１０は、屋根Ｒ５に、傾斜方向Ｄ１１及び交差方向Ｄ１２について、８×６の二次元配列で設置されている。設置に用いられる太陽電池パネル設置構造、及び太陽電池パネル施工方法については、図１〜図１３を参照して説明した実施形態の太陽電池パネル設置構造２０、及び太陽電池パネル施工方法と同等であるのでここでは説明を割愛する。
【００６７】
図１５に示されている第２の別例の太陽光発電設備６は、寄棟屋根等の三角形の屋根Ｒ６に、図１に示されているものと同じ太陽電池パネル１０を２１枚設置した設備である。屋根Ｒ６は、二等辺三角形となっており、その高さ方向が傾斜方向Ｄ６１となっている。２１枚の太陽電池パネル１０は、三角形の屋根Ｒ６に、その傾斜方向Ｄ６１と、底辺方向に沿った交差方向Ｄ６２と、に二次元配列されている。具体的には、最も軒側に６枚の太陽電池パネル１０が交差方向Ｄ６２に配列され、この列から棟側に向かって、１枚ずつ枚数を減らしながら、最も棟側の１枚の太陽電池パネル１０までピラミッド状に太陽電池パネル１０が積上げ配列されている。
【００６８】
また、アレイ構造を採用する場合の太陽電池パネルの枚数や配列形態は、これらの枚数や配列形態に限るものでもなく、設置する屋根の大きさや形状に応じて適宜に設定し得る。
【００６９】
また、上述した実施形態では、本発明にいう太陽電池パネルの一例として、長方形状の太陽電池パネル１０が例示されている。しかしながら、本発明にいう太陽電池パネルは、その形状について、長方形状に限るものではなく、正方形状であってもよく、あるいは、それら以外の多角形状であってもよく、さらには、円形等であってもよい。本発明にいう太陽電池パネルは、その形状について任意に設定し得るものである。
【００７０】
また、上述した実施形態では、本発明にいう足場設定工程の一例として、１列の金具列２５に、屋根Ｒ１の交差方向Ｄ１２の略全長に亘る１本の足場材３１を架け渡す工程が例示されている。しかしながら、本発明にいう足場設定工程はこれに限るものではなく、例えば１枚の太陽電池パネル１０の設置に必要な長さ分の短い足場材を架け渡す工程等であってもよい。この場合、適宜に足場材の位置をずらす、あるいは、別の足場材を継ぎ足す等して、隣の太陽電池パネルの設置に供してもよい。また、足場材も、上述した実施形態のように角棒状の足場材に限るものではなく、例えば丸棒状のもの等であってもよい。本発明にいう足場設定工程は、金具列に棒状の足場材を架け渡す工程であれば、足場材の長さや形状や架け渡す本数等については作業状況に応じて適宜に設定し得るものである。
【００７１】
また、上述した実施形態では、本発明にいう裏面支持金具の一例として、正面視で略Ｃ字状に形成された板金部材としての裏面支持金具２１が例示されている。しかしながら、本発明にいう裏面支持金具は、これに限るものではなく、棒状の足場材を取外し可能に架け渡すことが可能な部材であれは、例えば樹脂製の円柱ブロック等、その材質や形状は任意に設定し得るものである。
【００７２】
また、上述した実施形態では、本発明にいう裏面支持金具の一例として、太陽電池パネル１０の裏面における、側端縁の近傍位置と内部位置とを各々が支持するように複数個が屋根Ｒ１に固定される裏面支持金具２１が例示されている。しかしながら、本発明にいう裏面支持金具は、これに限るものではなく、その配置位置や個数を問うものではない。ただし、上述した実施形態のような位置及び個数で裏面支持金具が配置されることで、なるべく部品数を抑えた上で太陽電池パネル１０の支持と、足場材３１の安定した設置と、を可能とすることができる。
【００７３】
また、上述した実施形態では、本発明にいう軒側支持金具と棟側支持金具との各一例として、一体部品としての端縁支持金具２２における軒側支持部２２１と棟側支持部２２２が例示されている。しかしながら、本発明にいう軒側支持金具と棟側支持金具とは、これに限るものではなく、各々別部品として形成してもよい。ただし、一体部品とすることで、部品点数を抑えて施工コストを低減させることができる点は上述した通りである。
【符号の説明】
【００７４】
１，５，６    太陽光発電設備
１０    太陽電池パネル
１１    軒側端縁
１２    棟側端縁
１３    ケーブル
１４    中継コネクタ
２０    太陽電池パネル設置構造
２１    裏面支持金具
２２    端縁支持金具
２２ａ  金具本体
２３    ゴムシート
２４，２２１ｃ    ネジ
２５    金具列
３１    足場材
２１１，２２３ａ  側壁
２１１ａ  切れ込み
２１１ａ−１  突出リブ
２１２  底壁
２１３  支持フランジ
２１４，２２１ａ−２，２２３ｄ，２２１ｂ−３  貫通孔
２１５，２２３ｅ  補強フランジ
２１６  第１ケーブル保持溝
２１７  第２ケーブル保持溝
２２１  軒側支持部
２２１ａ  軒側本体部
２２１ａ−１  当接壁
２２１ｂ  軒側着脱部
２２１ｂ−１  固定壁
２２１ｂ−２  天井壁
２２２  棟側支持部
２２２ａ  差込み溝
２２３  基台部
２２３ｂ  上壁
２２４  境界壁
２２５  当接突起
Ｄ１１，Ｄ６１  傾斜方向
Ｄ１２，Ｄ６２  交差方向
Ｄ１３，Ｄ１４，Ｄ１５  矢印
Ｒ１，Ｒ５，Ｒ６    屋根
Ｒ１１  野地板
【図１】
2019011615.tif 000003
【図２】
2019011615.tif 000004
【図３】
2019011615.tif 000005
【図４】
2019011615.tif 000006
【図５】
2019011615.tif 000007
【図６】
2019011615.tif 000008
【図７】
2019011615.tif 000009
【図８】
2019011615.tif 000010
【図９】
2019011615.tif 000011
【図１０】
2019011615.tif 000012
【図１１】
2019011615.tif 000013
【図１２】
2019011615.tif 000014
【図１３】
2019011615.tif 000015
【図１４】
2019011615.tif 000016
【図１５】
2019011615.tif 000017